(57)【要約】      （修正有）【課題】水洗トイレで男子が排尿するときに、小水が飛び散ってトイレを汚染するのを簡単に防ぎ、また、便器と洗浄制御盤の間にある隙間の汚染を防ぐ用具を提供する。【解決手段】考案した衝立様の用具を使用することで、周辺の汚染を防ぐ。また、隙間に差し込み式の用具を差し込むことで、汚染を防ぐ。【選択図】図１
0003134569.tif 000002
【実用新案登録請求の範囲】
【請求項１】
水洗トイレで男子が排尿するときに、汚染を防ぐための衝立様の用具で、素材が紙、プラスチック、アルミニウム、その他のものである用具。
【請求項２】
水洗トイレが洗浄式であるとき、洗浄制御盤下部の隙間の汚染を防ぐための用具で、素材が紙、ビニール、その他のものである用具。
【考案の詳細な説明】
【考案の開示】
【考案が解決しようとする課題】
【０００１】  水洗トイレが広く普及して非常に快適な生活となった反面、非常に悩ましい問題が存在している。それは、男子が排尿する際に、小水が飛び散ってトイレを汚すことである。そのため、トイレの清潔が損なわれ、不快な臭いも生じてくる。清潔を保つための清掃も負担となり、通常トイレを管理している家庭の主婦からみて、非常に苛立たしい状況となっている。
汚染を防ぐため、主婦、母親が男子に座って排尿することを強要して、トラブルに発展していく事態が増加している。こうしたトラブルは、西洋式の場合に特に多い傾向のようだ。【０００２】  水洗トイレが洗浄式である場合、便器と洗浄制御盤との間にある隙間が汚染され、その汚染を清掃するのも厄介で悩ましい問題となっている。
【課題を解決するための手段】
【０００１】  男性が立った状態で排尿する際に、小水が飛び散って周囲が汚染されるのを防ぐ簡易で折りたたみ式の衝立様の用具を考案した。【０００２】  便器と洗浄制御盤との間の隙間に汚染を防ぐための簡単な差し込み式の用具を考案した。
【考案の効果】
【０００１】  本考案による用具を使用することにより、男子が排尿する際のトイレの汚染を簡単に防ぐことができるようになり、トイレの清潔を保つことが可能となり、問題点を解決することができる。また、その保管や洗浄も簡単に可能となる。【０００２】  本考案による差し込み式の用具を、隙間に差し込めば、汚染は簡単に防ぐことができる。
【図面の簡単な説明】〔考案が解決しようとする課題〕、〔０００１〕に関して【０００１】考案した用具の使用時の写真（図１）【０００２】考案した用具を折りたたんだ保管状態の写真（図２）【０００３】その平面図（図３）
以上の図に示した用具は今回作製した一例であり、構造、色調、素材、デザイン（絵、写真を付けるなど）等については全て状況に応じて適切に選択することができる。
図３における幅（Ｗ）３５ｃｍ、高さ（Ｈ）３６．５ｃｍは使用している便器の寸法によって決まる数値であり、ここでは某大手メーカーの便器に合わせた数値を記載した。また、奥行き（Ｄ）３４．５ｃｍ、全高の７０．５ｃｍの数値は基本的には任意であり、図３における数値は今回作製したモデルの数値を示したものである。
また、この用具の素材は、上記の通り、プラスチック、アルミニウム、紙、ビニール等も含め他のものでも使用可能である。
図２における保管に際してはビニール袋を使用して収納した。こうした袋あるいはケース等は任意であり、きちんと収納できれば全て採用可能である。
〔考案が解決しようとする課題〕、〔０００２〕に関して【０００４】洗浄式水洗トイレの洗浄制御盤と便器の隙間の汚染を防ぐ用具の写真（図４）【０００５】上記の用具を実際に隙間に差し込んだ状態の写真（図５）
この用具についても、衝立様の用具と同様に、構造、色調、素材等については、本図に示したもの以外でも採用可能である。
【図１】
0003134569.tif 000003
【図２】
0003134569.tif 000004
【図３】
0003134569.tif 000005
【図４】
0003134569.tif 000006
【図５】
0003134569.tif 000007
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
水洗トイレ便器の三方を衝立様に囲む折りたたみ式の構造をした汚染防止用具
【請求項２】
洗浄式水洗トイレの洗浄制御盤下部の隙間にはめ込む汚染防止用のシート
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】  水洗トイレが広く普及して非常に快適な生活となった反面、非常に悩ましい問題が存在している。それは、男子が排尿する際に、小水が飛び散ってトイレを汚すことである。そのため、トイレの清潔が損なわれ、不快な臭いも生じてくる。清潔を保つための清掃も負担となり、通常トイレを管理している家庭の主婦からみて、非常に苛立たしい状況となっている。
また、汚染を防ぐため、主婦、母親が男子に座って排尿することを強要して、トラブルに発展していく事態が増加している。こうしたトラブルは、西洋式水洗トイレの場合に特に多い傾向のようだ。【０００２】  水洗トイレが洗浄式である場合、便器と洗浄制御盤との間にある隙間が汚染され、その汚染を清掃するのも厄介で悩ましい問題となっている。
【課題を解決するための手段】
【０００１】  男性が立った状態で排尿する際に、小水が飛び散って周囲が汚染されるのを防ぐ簡易で折りたたみ式で衝立様の用具を考案した。この用具は、形態、色調、素材、デザイン（絵、写真を付けるなど）等については全て使用している状況に応じて適切に選択することができる。
添付の図２に示した寸法：幅（Ｗ）３５ｃｍ、高さ（Ｈ）３６．５ｃｍは実際に使用している便器の寸法によって決まる数値であり、ここでは某大手メーカーの便器に合わせた数値を記載した。また、奥行き（Ｄ）３４．５ｃｍ、全高７０．５ｃｍの数値は基本的には任意であり、図２では今回作製したモデルの数値を示したものである。
また、この用具の素材はプラスチック、アルミニウム、紙、ビニール等も含め他のものでも使用可能である。図２の点線部分で折りたたむことを可能とする。
また、保管に際してはビニール袋等を使用して収納でき、こうした袋あるいはケース等は任意であり、きちんと収納できれば全て採用可能である。【０００２】  便器と洗浄制御盤との間の隙間に汚染を防ぐための簡単な差し込み式の用具を考案した。この用具についても、上記の衝立様の用具の場合に記載したことと同様に、構造、色調、素材等については、いずれも採用可能である。
【考案の効果】
【０００１】  本考案による用具を使用することにより、男子が排尿する際のトイレの汚染を簡単に防ぐことができるようになり、トイレの清潔を保つことが可能となり、問題点を解決することができる。また、その保管や洗浄も簡単に可能となる。【０００２】  本考案による差し込み式の用具を、隙間に差し込めば、汚染は簡単に防ぐことができる。
【図面の簡単な説明】
【０００３】
【図１】考案した折りたたみ式で衝立様の汚染防止用具を水洗トイレに設置した時の状態を示す図
【図２】考案した折りたたみ式で衝立様の汚染防止用具の平面図。点線の部分で直角に近い角度で折り曲げて使用する。片づけるときは、３枚に折りたたむことができる。
【図３】考案した折りたたみ式で衝立様の汚染防止用具の立面図。
【図４】洗浄式水洗トイレの洗浄制御盤と便器の隙間の汚染を防ぐ用具の平面図。点線及び実線で谷折り、山折りとして、二重になった部分を隙間に刺しこんで使用する。
【図５】洗浄式水洗トイレの洗浄制御盤と便器の隙間の汚染を防ぐ用具を実際に隙間に刺しこんだ状態を示す図（斜線で示す部分）。
【手続補正３】
【補正対象書類名】図面
【補正対象項目名】全図
【補正方法】変更
【補正の内容】
【図１】
0003134569.tif 000008
【図２】
0003134569.tif 000009
【図３】
0003134569.tif 000010
【図４】
0003134569.tif 000011
【図５】
0003134569.tif 000012
【手続補正書】
【提出日】平成19年3月5日(2007.3.5)
【手続補正１】
【補正対象書類名】実用新案登録請求の範囲
【補正対象項目名】請求項２
【補正方法】削除
【補正の内容】
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】  水洗トイレが広く普及して非常に快適な生活となった反面、非常に悩ましい問題が存在している。それは、男子が排尿する際に、小水が飛び散ってトイレを汚すことである。そのため、トイレの清潔が損なわれ、不快な臭いも生じてくる。清潔を保つための清掃も負担となり、通常トイレを管理している家庭の主婦からみて、非常に苛立たしい状況となっている。
また、汚染を防ぐため、主婦、母親が男子に座って排尿することを強要して、トラブルに発展していく事態が増加している。こうしたトラブルは、西洋式水洗トイレの場合に特に多い傾向のようだ。
【課題を解決するための手段】
【０００２】  男性が立った状態で排尿する際に、小水が飛び散って周囲が汚染されるのを防ぐ簡易で折りたたみ式で衝立様の用具を考案した。この用具は、形態、色調、素材、デザイン（絵、写真を付けるなど）等については全て使用している状況に応じて適切に選択することができる。
添付の図２に示した寸法：幅（Ｗ）３５ｃｍ、高さ（Ｈ）３６．５ｃｍは実際に使用している便器の寸法によって決まる数値であり、ここでは某大手メーカーの便器に合わせた数値を記載した。また、奥行き（Ｄ）３４．５ｃｍ、全高７０．５ｃｍの数値は基本的には任意であり、図２では今回作製したモデルの数値を示したものである。
また、この用具の素材はプラスチック、アルミニウム、紙、ビニール等も含め他のものでも使用可能である。図２の点線部分で折りたたむことを可能とする。
また、保管に際してはビニール袋等を使用して収納でき、こうした袋あるいはケース等は任意であり、きちんと収納できれば全て採用可能である。
【考案の効果】
【０００３】  本考案による用具を使用することにより、男子が排尿する際のトイレの汚染を簡単に防ぐことができるようになり、トイレの清潔を保つことが可能となり、問題点を解決することができる。また、その保管や洗浄も簡単に可能となる。
【図面の簡単な説明】
【０００４】
【図１】考案した折りたたみ式で衝立様の汚染防止用具を水洗トイレに設置した時の状態を示す図
【図２】考案した折りたたみ式で衝立様の汚染防止用具の平面図。点線の部分で直角に近い角度で折り曲げて使用する。片づけるときは、３枚に折りたたむことができる。
【図３】考案した折りたたみ式で衝立様の汚染防止用具の立面図。
【手続補正３】
【補正対象書類名】図面
【補正対象項目名】全図
【補正方法】変更
【補正の内容】
【図１】
0003134569.tif 000013
【図２】
0003134569.tif 000014
【図３】
0003134569.tif 000015
【手続補正書】
【提出日】平成19年5月17日(2007.5.17)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
水洗トイレ便器の三方を衝立様に囲む折りたたみ式の構造をした汚染防止用具。